(57)【特許請求の範囲】
【請求項１】
帯電ベルトを均一に帯電する手段と、
この均一に帯電した帯電ベルトの一部分を放電して、そのベルト上に同じ極性の相対的高電圧領域と相対的低電圧領域を形成する手段と、
第１のカラープリントを形成するための高解像度現像装置と、
この高解像度現像装置の一部を構成する現像剤構造体と前記相対的低電圧領域との間に相対的に大きい現像電界を形成するように前記現像装置に電気バイアスをかける手段と、
前記高解像度現像装置を利用して前記相対的低電圧領域を前記現像剤構造体内に収容されている第１のトナー剤で現像する手段と、
前記帯電ベルトの前記相対的高電圧領域の一部分を放電させて、前記相対的高電圧領域と低電圧領域との中間の電圧レベルの領域を形成する手段と、
前記中間電圧背景レベルには影響を与えない状態で、相対的に小さい現像電界において、高電圧レベルの残りの部分を前記第１のトナー剤とは別種類で極性が逆である第２のトナー剤で現像する手段を有し、
前記相対的低電圧領域は黒色トナーで現像される複数の像を形成する装置。
【請求項２】
帯電ベルトを均一に帯電する手段と、
この均一に帯電した帯電ベルトの一部分を放電して、そのベルト上に同じ極性の相対的高電圧領域と相対的低電圧領域を形成する手段と、
第１のカラープリントを形成するための高解像度現像装置と、
この高解像度現像装置の一部を構成する現像剤構造体と前記相対的低電圧領域との間に相対的に大きい現像電界を形成するように前記現像装置に電気バイアスをかける手段と、
前記高解像度現像装置を利用して前記相対的低電圧領域を前記現像剤構造体内に収容されている第１のトナー剤で現像する手段と、
前記帯電ベルトの前記相対的高電圧領域の一部分を放電させて、前記相対的高電圧領域と低電圧領域との中間の電圧レベルの領域を形成する手段と、
前記中間電圧背景レベルには影響を与えない状態で、相対的に小さい現像電界において、高電圧レベルの残りの部分を前記第１のトナー剤とは別種類で極性が逆である第２のトナー剤で現像する手段を有し、
前記相対的高電圧領域はカラートナーで現像される複数の像を形成する装置。
【請求項３】
帯電ベルトを均一に帯電する手段と、
この均一に帯電した帯電ベルトの一部分を放電して、そのベルト上に同じ極性の相対的高電圧領域と相対的低電圧領域を形成する手段と、
第１のカラープリントを形成するための高解像度現像装置と、
この高解像度現像装置の一部を構成する現像剤構造体と前記相対的低電圧領域との間に相対的に大きい現像電界を形成するように前記現像装置に電気バイアスをかける手段と、
前記高解像度現像装置を利用して前記相対的低電圧領域を前記現像剤構造体内に収容されている第１のトナー剤で現像する手段と、
前記帯電ベルトの前記相対的高電圧領域の一部分を放電させて、前記相対的高電圧領域と低電圧領域との中間の電圧レベルの領域を形成する手段と、
前記中間電圧背景レベルには影響を与えない状態で、相対的に小さい現像電界において、高電圧レベルの残りの部分を前記第１のトナー剤とは別種類で極性が逆である第２のトナー剤で現像する手段を有し、
前記高解像度現像装置は、絶縁磁気ブラシ現像装置を有している複数の像を形成する装置。
【請求項４】
帯電ベルトを均一に帯電する手段と、
この均一に帯電した帯電ベルトの一部分を放電して、そのベルト上に同じ極性の相対的高電圧領域と相対的低電圧領域を形成する手段と、
第１のカラープリントを形成するための高解像度現像装置と、
この高解像度現像装置の一部を構成する現像剤構造体と前記相対的低電圧領域との間に相対的に大きい現像電界を形成するように前記現像装置に電気バイアスをかける手段と、
前記高解像度現像装置を利用して前記相対的低電圧領域を前記現像剤構造体内に収容されている第１のトナー剤で現像する手段と、
前記帯電ベルトの前記相対的高電圧領域の一部分を放電させて、前記相対的高電圧領域と低電圧領域との中間の電圧レベルの領域を形成する手段と、
前記中間電圧背景レベルには影響を与えない状態で、相対的に小さい現像電界において、高電圧レベルの残りの部分を前記第１のトナー剤とは別種類で極性が逆である第２のトナー剤で現像する手段を有し、
前記相対的高電圧領域を現像するために導電性磁気ブラシ現像装置が使用される複数の像を形成する装置。
【請求項５】
帯電ベルトを均一に帯電する手段と、
この均一に帯電した帯電ベルトの一部分を放電して、そのベルト上に同じ極性の相対的高電圧領域と相対的低電圧領域を形成する手段と、
第１のカラープリントを形成するための高解像度現像装置と、
この高解像度現像装置の一部を構成する現像剤構造体と前記相対的低電圧領域との間に相対的に大きい現像電界を形成するように前記現像装置に電気バイアスをかける手段と、
前記高解像度現像装置を利用して前記相対的低電圧領域を前記現像剤構造体内に収容されている第１のトナー剤で現像する手段と、
前記帯電ベルトの前記相対的高電圧領域の一部分を放電させて、前記相対的高電圧領域と低電圧領域との中間の電圧レベルの領域を形成する手段と、
前記中間電圧背景レベルには影響を与えない状態で、相対的に小さい現像電界において、高電圧レベルの残りの部分を前記第１のトナー剤とは別種類で極性が逆である第２のトナー剤で現像する手段を有し、
前記相対的高電圧領域を現像するために導電性磁気ブラシ現像手段が使用される複数の像を形成する装置。
【発明の詳細な説明】
【０００１】
本発明は、多色の乾燥トナーまたは現像剤を用いて静電潜像を可視化すること、特に処理速度を低下させないで高品質コピーを行うことができる高速ハイライトプリンタに関するものである。
【０００２】
本発明は、ゼログラフィ分野または関連の印刷分野に利用できる。従来のゼログラフィを実施するには、最初に光導電性絶縁表面すなわち受光体を均一に帯電させることによって電子写真表面上に静電潜像を形成するのが一般的な手順である。原稿像に対応した活性化照射パターンに従って電荷を選択的に消散させる。電荷の選択的消散によって、照射が当てられなかった領域に対応した電荷潜像が結像表面上に残る。
【０００３】
この電荷像は、それをトナーで現像することによって可視化される。トナーは一般的に静電吸着によって電荷像に付着する着色粉である。
【０００４】
現像された像は次に結像表面に定着されるか、または普通紙等の支持基材に転写されてから、適当な定着法によってそれに定着される。
【０００５】
多色結像も、基本的電子写真技術を利用することによって実施されてきた。この場合、上記工程が実質的に３〜４回繰り返される。このため、光導電表面はフィルタを通った光像に連続的にあたる。各露光後、形成された静電潜像は、フィルタを通った光像の減法混色の原色に相当する色のトナー粒子で現像される。例えば、赤色フィルタが用いられた場合、静電潜像はシアン色のトナー粒子で現像される。シアン色のトナー粉像は次にコピー用紙に転写される。上記工程が、マジェンタ色のトナーで現像される緑色フィルタを通った光像、及び黄色トナー粒子で現像される青色フィルタを通った光像に対して繰り返される。
【０００６】
それぞれ異なった色のトナー粉像はコピー用紙に、先に転写されている粉像の上に整合して重なるようにして連続的に転写される。このようにして、３つ以上のトナー粉像がコピー用紙に順次転写される。トナー粉像は、コピー用紙に転写された後、それに永久的に定着される。上記カラー結像方法は四色結像として知られている。
【０００７】
別のカラー結像方法は、ハイライトカラー結像として知られている。ハイライトカラー結像では、一般的に黒とその他の色、例えば赤の２色の現像剤が通常使用される。ハイライトカラー結像の１つの形式では、トライレベルＲＯＳ（ラスター出力スキャナ）を用いてトライレベル像を結像表面上に形成することによって、予め均一に帯電されている帯電表面上にトライレベル像を形成する。トライレベル像は、２つの像領域と背景領域とを有している。
【０００８】
トライレベルゼログラフィの概念は、ガンドラッシュ（Ｇｕｎｄｌａｃｈ）に発行された米国特許第４，０７８，９２９号に記載されている。ガンドラッシュ特許は、１回の通過でハイライトカラー結像を達成する手段としてトライレベルゼログラフィを使用することを教示している。その特許に開示されているように、電荷像は第１及び第２色のトナー粒子で現像される。一方の色のトナー粒子は正に帯電され、他方の色のトナー粒子は負に帯電されている。一実施例では、トナー粒子は摩擦電気的に相対的正及び相対的負のキャリア粒の混合物を有する現像剤で供給される。それらのキャリア粒は、それぞれ相対的負及び相対的正のトナー粒子を支持している。一般的にそのような現像剤は、電荷像を支持している結像表面を横切るように流れ落ちることによって電荷像に供給される。別の実施例では、１対の磁気ブラシによってトナー粒子が電荷像に与えられる。各ブラシは１つの色で１つの電荷のトナーを供給する。さらに別の実施例では、現像装置にほぼ背景電圧のバイアスがかけられる。そのようなバイアスによって色が鮮やかに現像された像を得ることができる。
【０００９】
トライレベルゼログラフィでは、帯電表面すなわち受光体上の電子写真コントラストは、従来のゼログラフィのように２通りではなく、３通りに分割される。受光体は一般的に９００ｖの電荷が与えられる。それが像の形状に露光されることによって、帯電像領域に相当する一方の像（続いて帯電領域現像すなわちＣＡＤで現像される）は、全受光体電位（Ｖｄｄｐ  またはＶｃａｄ  、図１ａ及び１ｂを参照）のままである。他方の像は露光されて、それの放電電位すなわちＶｃまたはＶｄａｄ  （一般的に１００ｖ）まで放電され、これは続いて放電領域現像（ＤＡＤ）で現像される放電領域像に相当している。背景領域は、受光体電位をＶｃａｄ  電位とＶｄａｄ  電位の中間の電位（一般的に５００ｖ）まで低下するように露光され、ＶｗまたはＶｗｈｉｔｅ  と呼ばれる。ＣＡＤ現像剤装置には一般的に、Ｖｗｈｉｔｅ  （約６００ｖ）よりもＶｃａｄ  に近い約１００ｖのバイアスがかけられており、ＤＡＤ現像剤装置には、Ｖｗｈｉｔｅ  （約４００ｖ）よりもＶｄａｄ  に近い約１００ｖのバイアスがかけられている。
【００１０】
帯電表面上に現像された合成像は正及び負の両方のトナーで形成されているので、反対極性のコロナ電荷を利用して転写することができるようにすべてのトナーを共通の極性にするため、転写前コロナ帯電段階が必要である。
【００１１】
当然ながら、処理速度が比較的高速でコピー品質が高いハイライトカラープリンタが極めて望ましい。しかし現在に至るまでこれらの２つの特性を兼ね備えた満足できる装置は実現されていない。高品質の目標を満足させる絶縁磁気ブラシ（ＩＭＢ）黒色現像を利用した２パスハイライトカラー装置や、高速度の目標を満足させるが黒色コピー品質が低下するシングルパス装置（トライレベルゼログラフィ）が考えられている。
【００１２】
静電潜像を形成して現像する様々な技術がこれまでも用いられており、本発明の一部の特徴に関連する開示内容を以下に説明する。
【００１３】
パーカー（Ｐａｒｋｅｒ）他に許可されて本出願と同一の譲受人に譲渡されているトライレベル印刷に関連した米国特許第４，７６１，６６８号は、感光結像表面等の帯電表面上に形成された静電潜像を可視化するために用いられる１つの乾燥トナーまたは現像剤が別の乾燥トナーまたは現像剤で汚染されないようにする装置を開示している。この装置は、通常ならば汚染を引き起こす乾燥トナーまたは現像剤が文書間及び外部領域で帯電表面に引き付けられるようにする。このように引き付けられた乾燥トナーまたは現像剤は続いてクリーニング部で結像部材から除去される。
【００１４】
パーカー他に許可されて本出願と同一の譲受人に譲渡されているトライレベル印刷に関連した米国特許第４，７６１，６７２号は、現像剤バイアスが励起または消勢されるトライレベル電子写真装置の始動及び停止中に発生する望ましくない過渡現像状態が、露光装置によって装置の始動及び停止中に受光体上に空間電圧ランプを発生させる制御方法を用いることによって防止されるようにした装置を開示している。さらに、現像装置バイアス供給源は、それらのバイアス電圧が所定のオフセット電圧で受光体電圧ランプに追従するようにプログラム化されている。このオフセット量は、現像ローラと受光体との間のクリーニング域が常に適当な範囲内にあるように選択される。露光及び現像特性を同時に得る変更例として、現像剤バイアス電圧の変化に対応して受光体の帯電を変更することができる。
【００１５】
ジェロム（Ｊｅｒｏｍ）  Ｅ．メイ（Ｍａｙ）  に許可されて本出願と同一の譲受人に譲渡されているトライレベル印刷に関連した米国特許第４，８１１，０４６号は、現像剤バイアスが励起または消勢されるトライレベル電子写真装置の始動及び停止中に発生する望ましくない過渡現像状態が、始動及び停止中に現像剤が結像表面と接触することを防止できる所定方向へ回転するローラを備えた現像剤装置を設けることによって防止されるようにした装置を開示している。所定の現像剤ハウジングの現像剤ローラを接触防止方向へ回転させることができるようにすれば、トライレベル装置を単色装置として、または１つのハウジング内の現像剤の内部摩擦電気を均一化するためそのハウジング内だけの現像剤を撹はんするために利用することができる。
【００１６】
パーカー他に許可されて本出願と同一の譲受人に譲渡されているトライレベル印刷に関連した米国特許第４，７７１，３１４号は、現像部を含む処理領域を帯電表面が１回通過することによって黒色及び少なくとも１つのハイライトカラーのトナー像を形成できる印刷装置を開示している。現像部には１対の現像剤ハウジングが設けられ、その各々の内部に１対の磁気ブラシ現像ローラが支持されており、帯電表面と現像剤ローラとの間に静電現像及びクリーニング域を形成するための電気バイアスがそれらのローラにかけられている。各ハウジング内の第１ローラと帯電表面との間の現像電界が帯電表面と第２ローラとの間の現像電界よりも大きくなるように、また各ハウジング内の第２ローラと帯電表面との間のクリーニング域が帯電表面と第１ローラとの間の現像電界よりも大きくなるようにする電気バイアスがローラにかけられている。
【００１７】
デルマー（Ｄｅｌｍｅｒ）・パーカーに許可されて本出願と同一の譲受人に譲渡されているトライレベル印刷に関連した米国特許第４，８３３，５０４号は、それぞれに複数の磁気ローラを関連させて設けた複数の現像剤ハウジングを有する磁気ブラシ現像剤装置を開示している。第２現像剤ハウジング内に配置された磁気ローラは、磁気力域の半径方向分力が帯電表面と磁気ローラとの間に磁気のない現像ゾーンを形成するように構成されている。現像剤は磁気的に拘束されないでそのゾーンを通過するので、第１現像剤ハウジングによって現像された像が受ける外乱を最小限に抑えることができる。また、現像剤は１つの磁気ローラから次のものへ送られる。この装置は、トライレベル潜像の半分を現像すると同時に、すでに現像済みの半分を最小の像外乱で第２ハウジングを通過させることができる効果的な手段を提供している。
【００１８】
１９９０年２月１３日付けでパーカー他に許可されて本出願と同一の譲受人に譲渡されているトライレベル印刷に関連した米国特許第４，９０１，１１４号は、帯電表面が処理部を１回通過する間に２つの像を完全に整合させて重ねることができるトライレベルゼログラフィを用いた電子プリンタを開示している。合成像の一方は磁気インキ文字認識（ＭＩＣＲ）トナーを用いて形成されるのに対して、像の他方はそれよりも低価格の黒色またはカラートナーで印刷される。例えば、チェック中の磁気的に読み取り可能な情報はＭＩＣＲトナーで印刷し、チェックの残りは磁気的に読み取りできないカラーまたは黒色トナーで印刷する。
【００１９】
１９８９年９月１９日付けでリチャード（Ｒｉｃｈａｒｄ）  Ｐ．ジャーメイン（Ｇｅｒｍａｉｎ）  に許可された米国特許第４，８６８，６１１号は、帯電表面上に少なくとも３つの電圧レベルを有し、その電圧レベルの２つは２つの像領域に対応し、第３電圧レベルは背景領域に対応するようにした単一極性の電荷像を形成する構造を含むハイライトカラー結像方法及び装置を開示している。現像剤ハウジング内に入っている現像剤と２つの像領域の一方のすでに現像済みの像との間の相互作用は、すでに現像済みの像の電荷を中性化するスコロトロンを用いて最小限に抑えることができる。
【００２０】
１９８５年１２月３１日付けでタテキ・オカに許可された米国特許第４，５６２，１３０号は、陽画像の第１静電潜像を感光部材上に形成した後、スコロトロン帯電器を用いて背景領域の電位を中間電位に補正する。この後、中間電位を陰画像に当てることによって第２潜像を形成するようにした合成像の形成方法を開示している。
【００２１】
１９８９年４月３日にチャールズ・タブ（Ｃｈａｒｌｅｓ  Ｔａｂｂ）が出願した米国特許出願ＳＮ  ０７／３３２，０８７は、シングルパス及び２パスの両方のハイライトカラー結像の特徴の一部を利用した結像方法及び装置を開示している。両方の現像剤ハウジングは常に活動的に係合している。一方のハウジングは帯電領域現像（ＣＡＤ）に用いられ、他方は放電領域現像（ＤＡＤ）に用いられる。現像剤ハウジングのバイアスは、不要の像の現像を避けることができるように切り換えまたは調節される。ＤＡＤ像がＣＡＤハウジングを通過する時、ＣＡＤバイアスはＣＡＤ現像剤ハウジング内の現像剤を逸らせることができるように切り換えられる。同様に、ＣＡＤ像がＤＡＤハウジングを通過する時、そのバイアスはＤＡＤ現像剤ハウジング内の現像剤を逸らせることができるように切り換えられる。
【００２２】
本発明によれば、帯電ベルト受光体上に静電潜像を形成するために２つの結像装置を用いるシングルパスプリンタが開示されている。帯電ベルトを均一に帯電させた後、２３．６スポット／ｍｍ（６００ＳＰＩ）ラスター出力スキャナ（ＲＯＳ）または「黒色書き込み」モードのその他の装置でバイレベル（すなわち背景及び像領域）静電潜像を形成する。次に、負の黒色トナー及び正のキャリアによる放電領域現像（ＤＡＤ）を利用した絶縁磁気ブラシ（ＩＭＢ）、ＨＡＺＥ（高撹はんゾーン）、ＭＡＺＥ（磁気撹はんゾーン）または他の「高解像度」現像装置を用いてバイレベル像が現像される。次の段階では、カラー現像する部分を除いたすべての非現像帯電領域を露光する白色書き込みモードで結像する「低ＵＭＣ（製造単価）」１１．８スポット／ｍｍ（３００ＳＰＩ）結像装置で第２像が形成される。この光放電段階は、原稿バイレベル像の背景領域を部分的に中性化した黒色像に相当する電圧レベルに光放電させる構造の「中間露光」からなる。この第２結像段階に続いて、像が第２現像ハウジングを通過する時に第２現像段階が実施される。第２現像ハウジングはトライレベルハウジング（すなわち低現像電界を示す多ローラ式導電性磁気ブラシ（ＣＭＢ）現像装置）である。第２現像ハウジングには正電荷のカラートナーと負電荷のキャリアとが収容されている。
【００２３】
図１（ａ）は、トライレベル静電潜像を説明する受光体電位対露光のグラフである。
【００２４】
図１（ｂ）は、１パスハイライトカラー潜像特性を示す受光体電位の説明図である。
【００２５】
図２は、本発明の特徴を備えた印刷装置の概略説明図である。
【００２６】
図３（ａ）は、第１露光段階後の帯電表面上の電圧の関係を示す図である。
【００２７】
図３（ｂ）は、第１露光段階によって形成された第１像の現像後の図３（ａ）と同じ帯電表面上の電圧の関係を示す図である。
【００２８】
図３（ｃ）は、第２露光段階後の帯電表面上の電圧の関係を示す図である。
【００２９】
図３（ｄ）は、第２現像段階後の帯電表面上の電圧の関係を示す図である。
【００３０】
図２に示されているように、本発明を含む印刷装置は、光導電表面と導電性の基材とによって構成されて帯電部Ａ、露光部Ｂ、現像部Ｃ、転写部Ｄ及びクリーニング部Ｆを通過できるように取り付けられた光導電ベルト１０の形式をとった帯電部材を利用している。ベルト１０は矢印１６の方向へ移動して、その連続部分がその移動経路の周囲に配置された様々な処理部を通過できるようにする。ベルト１０は複数のローラ１８、２０及び２２に掛けられており、ローラ１８は受光体ベルト１０に適当なテンションを与えるために利用でき、ローラ２０は駆動ローラとして利用できる。モータ２３がローラ２０を回転させることによってベルト１０が矢印１６の方向へ前進する。ローラ２０は、ベルト駆動部等の適当な手段でモータ２３に連結されている。
【００３１】
さらに図２を参照しながら説明すると、ベルト１０の連続部分は最初に帯電部Ａを通過する。帯電部Ａでは、スコロトロン、コロトロンまたはディコロトロン等のコロナ放電装置２４がベルト１０を選択的に高い均一の所定負電位に帯電させる。あるいは、ベルトを均一の所定正電位に帯電させてもよい。コロナ放電装置２４を制御するために公知の適当な制御装置を用いてもよい。
【００３２】
次に、受光体表面の均一に帯電された部分は露光部Ｂへ進む。露光部Ｂでは、均一帯電ベルト受光体すなわち帯電表面１０がレーザ利用の入出力走査装置２５で露光されて、帯電表面が放電するため、約ー７００ボルトの背景レベルＶｂｋｇ  ＤＡＤ  及び約ー１００ボルトの放電像領域Ｖｉｍａｇｅ  ＤＡＤ  （図３（ａ））からなるバイレベル像領域が形成される。走査装置２５は、２レベル（２３．６スポット／ｍｍ（６００スポット／インチ（ＳＰＩ））ラスター出力スキャナ（ＲＯＳ）である。装置２５の代わりに、ＬＥＤバー等の他の露光装置を用いることもできる。
【００３３】
現像部Ｃでは、磁気ブラシ現像装置３０が現像剤を受光体上の静電潜像と接触する位置へ進める。現像装置３０には第１及び第２現像剤ハウジング３２及び３４が設けられている。好ましくは、各々の磁気ブラシ現像ハウジングには複数の磁気ブラシ現像剤ローラを設ける。従って、ハウジング３２には１対のローラ３５、３６が設けられ、ハウジング３４には１対の磁気ブラシローラ３７、３８が設けられている。各対のローラはそれぞれの現像剤を潜像と接触する位置へ進める。それぞれの現像剤ハウジング３２及び３４に電気接続された電源４１及び４３によって適当な現像剤バイアスがかけられている。
【００３４】
バイレベル像の放電像領域Ｖｉｍａｇｅ  ＤＡＤ  は、ハウジング３２内に入っている負の黒色トナー及び正のキャリアによる放電領域現像（ＤＡＤ）を利用した絶縁磁気ブラシ（ＩＭＢ）、ＨＡＺＥ（高速撹はんゾーン）、ＭＡＺＥ（磁気撹はんゾーン）または他の「高解像度」現像装置を用いて現像される。ＨａｚｅまたはＭａｚｅ現像装置は、受光体ベルト１０をローラ３５及び３６と密接するように押し付けて撹はんゾーンを生じるものである。受光体の電圧グラフ及び現像された黒色像が図３（ｂ）に示されている。バイレベル像を適切に現像するため、現像剤ローラ３２及び３４はおよそー６００ボルトの電圧Ｖｄｅｖ  ｂｉａｓ  ＤＡＤの電気バイアスがかけられる。現像剤ローラにそのようなバイアスをかけることによって、比較的大きい現像電界Ｖｄｅｖ  ｆｉｅｌｄ  ＤＡＤ  が得られる。
【００３５】
バイレベル像の現像後、「低ＵＭＣ（製造単価）」１１．８スポット／ｍｍ（３００ＳＰＩ）結像装置、例えば現像剤ハウジング３２と３４との間に配置された発光ダイオード（ＬＥＤ）列４８で第２像が形成される。結像装置４８はカラー現像される部分を除いたバイレベル像のすべての非現像帯電領域を放電させる。これによって、約ー３５０ボルトの放電領域電圧レベルＶｂｋｇ  ＣＡＤ  及び約ー７００ボルトの像領域電圧レベルＶｉｍａｇｅ  ＣＡＤ  を有する第２のバイレベル像（図３（ｃ））が形成される。この光放電段階は、原稿バイレベル像の背景領域を部分的に中性化した黒色像に相当する電圧レベルに光放電させる構造の「中間露光」からなる。
【００３６】
第２結像段階に続いて、像が第２現像ハウジング３４を通過する時に第２現像段階が実施される。第２現像ハウジングはトライレベル形ハウジング（すなわち低現像電界を示す多ローラ式導電性磁気ブラシ（ＣＭＢ）現像装置）である。これには正電荷のカラートナーと負電荷のキャリアとが収容されている。カラー像を現像するため、現像剤ローラ３７及び３８に約ー４５０ボルトの電圧の電気バイアスがかけられることにより、比較的小さい現像電界Ｖｄｅｖ  ｆｉｅｌｄ  ＣＡＤ  が生じる。現像された黒色像及びカラー像の電圧が図３（ｄ）に示されている。
【００３７】
受光体上に現像された合成像は正及び負のトナーで形成されているので、負または正のコロナ放電を利用した適当な転写前コロナ放電部材５６と共に消去部材５５を設けて、基材へ効果的に転写できるようにトナーの調整を行う。
【００３８】
転写部Ｄでは、支持材用紙５８（図２）がトナー像と接触する位置へ送られる。支持材は図示されていない従来形用紙送り装置によって転写部Ｄへ進められる。好ましくは用紙送り装置４８は、用紙束の最上位置にある用紙に接触している送りローラを含む。送りローラが回転することによって、最上位置にある用紙が用紙束からシュートへ送り込まれ、シュートは前進中の支持材用紙を一定の時間間隔で逐次ベルト１０の光導電表面と接触するように送ることによって、その上に現像されているトナー粉像が転写部Ｄで前進中の支持材用紙に接触する。
【００３９】
転写部Ｄにはコロナ発生装置６０が設けられており、これは用紙６８の裏面に適当な極性のイオンを噴射する。これによって、帯電トナー粉像がベルト１０から用紙５８へ引き付けられる。転写後、用紙は矢印６２の方向へコンベヤ（図示せず）上に移され、コンベヤは用紙を定着部Ｅへ送る。離脱コロナ発生装置（図示せず）を用いることもできる。
【００４０】
定着部Ｅには定着アセンブリ６４が設けられており、これは粉像を用紙５８に永久的に付着させる。好ましくは、定着アセンブリ６４には加熱定着ローラ６６とバックアップローラ６８とが設けられる。用紙５８は、トナー粉像が定着ローラ６６に接触するようにして定着ローラ６６とバックアップローラ６８との間を通過する。このようにして、トナー粉像は用紙５８に永久的に付着する。定着後、シュート（図示せず）が前進中の用紙５８を受けトレー（図示せず）へ送り、その後にオペレータが印刷装置から取り出すことができる。
【００４１】
支持材用紙がベルト１０の光導電表面から離れた後、光導電表面の非結像領域に支持されていた残留トナー粒子が除去される。これらの粒子はクリーニング部Ｆで取り除かれる。クリーニング部Ｆにはクリーニングハウジング７０が設けられている。クリーニング部Ｆにはさらにクリーニング前コロナ発生装置（図示せず）を設けてもよい。
【００４２】
クリーニングの後、放電ランプ（図示せず）が感光表面に光を照射して、次の連続結像サイクルのための帯電に先だってそれに残っている残留電荷を消散させる。
【図面の簡単な説明】
【図１】（ａ）はトライレベル静電潜像を説明する受光体電位対露光のグラフ、（ｂ）はシングルパスハイライトカラー潜像特性を示す受光体電位の説明図である。
【図２】本発明の特徴を備えた印刷装置の概略説明図である。
【図３】（ａ）は第１露光段階後の帯電表面上の電圧の関係を示す図、（ｂ）は、第１露光段階によって形成された第１像の現像後の図３ａと同じ帯電表面上の電圧の関係を示す図、（ｃ）は第２露光段階後の帯電表面上の電圧の関係を示す図、（ｄ）は第２現像段階後の帯電表面上の電圧の関係を示す図である。
【符号の説明】
２４    コロナ発生装置
２５    走査装置
３２、３４    現像剤ハウジング
４１、４３    電源
４８    ＬＥＤ列
【図１】
0003584043.tif 000002
【図２】
0003584043.tif 000003
【図３】
0003584043.tif 000004